【手続補正書】
【提出日】平成18年3月30日(2006.3.30)
【手続補正１】
【補正対象書類名】明細書
【補正対象項目名】特許請求の範囲
【補正方法】変更
【補正の内容】
【特許請求の範囲】
【請求項１】
互いに組み合わせて用いることにより無彩色を再現可能な複数の有彩１次色インクと、前記複数の有彩１次色インクのいずれとも色相が異なる少なくとも１つの有彩２次色インクとで構成されるインクセットの各インクを用いて画像の印刷を行う印刷装置であって、
前記印刷媒体上に再現可能な彩度の範囲が少なくとも前記有彩２次色インクの色相において比較的狭い第１種のカラー印刷モードでの印刷と、前記第１種のカラー印刷モードと同一のインクを利用可能であるとともに、前記印刷媒体上に再現可能な彩度の範囲が少なくとも前記有彩２次色インクの色相において比較的広い第２種のカラー印刷モードでの印刷とを行う事ができる、
印刷装置。
【請求項２】
請求項１に記載の印刷装置であって、
前記第１種のカラー印刷モードと前記第２種のカラー印刷モードとは、同一の印刷媒体を利用可能な印刷モードである、印刷装置。
【請求項３】
請求項１又は請求項２に記載の印刷装置であって、
前記有彩１次色インクの色相よりも、前記有彩２次色インクの色相の方が、第１種のカラー印刷モードと第２種のカラー印刷モードとの間における前記再現可能な彩度の範囲の違いが大きい印刷装置。
【請求項４】
互いに組み合わせて用いることにより無彩色を再現可能な複数の有彩１次色インクと、前記複数の有彩１次色インクのいずれとも色相が異なる少なくとも１つの有彩２次色インクとで構成されるインクセットの各インクを用いて画像の印刷を行う印刷装置であって、
少なくとも前記有彩２次色インクの色相をもつ部分を含む同一の画像データを用いて同一の印刷媒体に同一のインクを用いて印刷するに当って、少なくとも前記有彩２次色インクの色相をもつ部分を互いに異なる彩度で再現するようにカラー印刷をする低彩度な第１種カラー印刷モードと高彩度な第２種カラー印刷モードとを有する、
印刷装置。
【請求項５】
請求項４に記載の印刷装置であって、
前記画像データは、さらに、前記有彩１次色インクの色相をもつ部分を含み、
前記第１種カラー印刷モードにおける彩度に対する前記第２種カラー印刷モードにおける彩度の比は、前記有彩１次色インクの色相における値よりも、前記有彩２次色インクの色相における値の方が大きい、
印刷装置。
【請求項６】
請求項４乃至請求項５のいずれかに記載の印刷装置であって、
前記有彩２次色インクの彩度は、いずれの前記有彩１次色インクの彩度よりも大きい、
印刷装置。
【請求項７】
請求項１乃至請求項６のいずれかに記載の印刷装置であって、
第１の表色系で表された入力カラー画像データから、前記インクセットの各インクのインク量で構成される再現色表色系で表された第２のカラー画像データへの変換を、各モードに対応した色変換ルックアップテーブルを使用して行う色変換モジュールを備える、印刷装置。
【請求項８】
請求項７に記載の印刷装置であって、さらに、
前記複数の印刷モードに対応して予め準備された複数の色変換ルックアップテーブルを備え、
前記色変換モジュールは、選択された印刷モードに対応した色変換ルックアップテーブルを使用する、
印刷装置。
【請求項９】
互いに組み合わせて用いることにより無彩色を再現可能な複数の有彩１次色インクと、前記複数の有彩１次色インクのいずれとも色相が異なる少なくとも１つの有彩２次色インクとで構成されるインクセットの各インクを印刷媒体上に吐出することによって画像の印刷を行う印刷方法であって、
（ａ）前記印刷媒体上に再現可能な彩度の範囲が少なくとも前記有彩２次色インクの色相において比較的狭い第１種印刷モードと、少なくとも前記有彩２次色インクの色相において比較的広い第２種印刷モードとを含む複数の印刷モードの中から１つを選択する工程と、
（ｂ）前記選択された印刷モードに基づいて印刷する工程と、
を備える、印刷方法。
【請求項１０】
互いに組み合わせて用いることにより無彩色を再現可能な複数の有彩１次色インクと、前記複数の有彩１次色インクのいずれとも色相が異なる少なくとも１つの有彩２次色インクとで構成されるインクセットの各インクを印刷媒体上に吐出することによって画像の印刷を行う印刷部に供給すべき印刷データを生成するためのコンピュータプログラムであって、
（ａ）前記印刷媒体上に再現可能な彩度の範囲が少なくとも前記有彩２次色インクの色相において比較的狭い第１種印刷モードと、少なくとも前記有彩２次色インクの色相において比較的広い第２種印刷モードとを含む複数の印刷モードの中から１つを選択する機能と、
（ｂ）前記選択された印刷モードに応じて、印刷媒体上の各画素における各インクの吐出状態を表す印刷データを生成する機能と、
をコンピュータに実現させるためのコンピュータプログラム。
【請求項１１】
印刷媒体上で複数色のインクを用いて任意の色を再現するために、各インクのインク量を決定する分版方法であって、
（ａ）使用可能なインクとして、互いに組み合わせて用いることにより無彩色を再現可能な複数の有彩１次色インクと、前記複数の有彩１次色インクのいずれとも色相が異なる少なくとも１つの有彩２次色インクとを含むインクセットを設定する工程と、
（ｂ）任意の１つの入力色に応じて前記印刷媒体上で再現される色を再現色と呼び、前記再現色を前記印刷媒体上で再現するための前記インクセットの各インク量の組み合わせを分版インク量セットと呼び、前記複数の有彩１次色インクの各インク量を基準ベクトルとして表される色空間を１次色色空間と呼ぶときに、前記１次色色空間内の複数の入力色に応じて前記印刷媒体上で再現される複数の再現色を決定する工程と、
（ｃ）前記複数の再現色を再現するための複数の分版インク量セットを決定する工程と、を備え、
前記工程（ｂ）では、
前記有彩２次色インクと同一の色相を有する再現色の彩度が、前記有彩１次色インクによって再現可能な彩度の範囲よりも広く、前記インクセットによって再現可能な彩度の最大限の範囲よりも狭い所定の彩度制限を満足するように、前記複数の再現色が決定される、
分版方法。
【請求項１２】
請求項１１に記載の分版方法であって、
前記１次色色空間における、前記インクセットによって再現可能な色の表現領域であって、前記彩度制限を含む所定の制限を満足する色表現領域の外殻に位置する第１種有彩色を表すベクトルを第１種ベクトルと呼び、前記有彩１次色インクによって再現可能な色の表現領域の外殻に位置するとともに、前記第１種ベクトルと同一の方向に位置する第２種有彩色を表すベクトルを第２種ベクトルと呼ぶときに、
前記彩度制限は、前記第２種ベクトルの長さに対する前記第１種ベクトルの長さの割合を予め設定された所定の制限値以下に制限する、分版方法。
【手続補正２】
【補正対象書類名】明細書
【補正対象項目名】００３１
【補正方法】変更
【補正の内容】
【００３１】
また、上記課題の少なくとも一部を解決するために、この発明の一態様に係る印刷装置は、互いに組み合わせて用いることにより無彩色を再現可能な複数の有彩１次色インクと、前記複数の有彩１次色インクのいずれとも色相が異なる少なくとも１つの有彩２次色インクとで構成されるインクセットの各インクを用いて画像の印刷を行う印刷装置であって、前記印刷媒体上に再現可能な彩度の範囲が少なくとも前記有彩２次色インクの色相において比較的狭い第１種のカラー印刷モードでの印刷と、前記第１種のカラー印刷モードと同一のインクを利用可能であるとともに、前記印刷媒体上に再現可能な彩度の範囲が少なくとも前記有彩２次色インクの色相において比較的広い第２種のカラー印刷モードでの印刷とを行う事ができる。